(57)【要約】【課題】利用者が正しい処置を行うことができる生ごみ処理機の提供。【解決手段】処理槽の状態を検出するために湿度センサを用い、警告を表示する異常表示手段と、警告を表示するタイミングを調整するカウンタと、カウンタが複数の規定回数に達したとき前記異常表示手段にて処理機の異常を警告する制御手段とを設けた構成としてある。これによって、湿度センサの値が分解異常を起こしそうな状態がカウンタに設けた規定回数続いたとき、警告を行うので正確な異常表示ができ、使用者は処理機の異常により正確に対応することが出来る。【選択図】図２
2005305287.tif 000002
【特許請求の範囲】
【請求項１】
生ごみおよび培養基材を含む処理槽内の湿度を測る湿度センサと、湿度を判断するしきい値を記憶するしきい値記憶手段と、前記湿度センサにより検出した湿度と前記しきい値記憶手段に記憶されているしきい値とを比較する湿度比較手段と、湿度がしきい値に達した複数の規定回数をカウントするカウンタと、処理機の異常を警告する異常表示手段と、前記湿度比較手段からの出力により前記カウンタが複数の規定回数に達したとき前記異常表示手段にて処理機の異常を警告する制御手段とを備えた生ごみ処理機の制御装置。
【請求項２】
前記カウンタの複数の規定回数を任意に変更可能な構成とした請求項１記載の生ごみ処理機の制御装置。
【請求項３】
生ごみ処理機を稼動状態にしてから一定期間の間、前記しきい値記憶手段のしきい値を前記一定期間経過後のしきい値と異なる値に変更可能な構成とした請求項１または２に記載の生ごみ処理機の制御装置。
【請求項４】
生ごみおよび培養基材を含む処理槽が水分過多になり、それ以上生ごみを投入できないような湿度の値を前記しきい値記憶手段のしきい値に設定し、前記異常表示手段にて投入中止を表示することを特徴とした請求項１〜３のいずれか１項記載の生ごみ処理機の制御装置。
【請求項５】
生ごみの投入中止日数を表示する構成とした請求項１〜４のいずれか１項記載の生ごみ処理機の制御装置。
【請求項６】
警告の表示を他の表示より輝度を明るくする構成とした請求項１〜５のいずれか１項記載の生ごみ処理機の制御装置。
【発明の詳細な説明】
【技術分野】
【０００１】
本発明は、主として家庭用又は業務用の廃棄物を減容、減量処理する生ごみ処理機の制御装置に関するものである。
【背景技術】
【０００２】
従来、生ごみ処理機は、撹拌羽根と換気装置とを有する処理槽内に培養基材を入れ、ここに生ごみを投入し培養基材と共に撹拌する。これより、好気性バクテリアを利用して生ごみを分解処理し、減量する。この時、好気性バクテリアの繁殖を促すため、処理槽内の温度を一定に保ち、また処理槽の水分量を調節する制御装置がある。（例えば、特許文献１参照）
更に、処理槽に温度センサと水分センサを設け、センサで検知された検知信号に基づいて処理槽の状態を判定し、分解異常の時には警告を表示する制御装置がある。（例えば、特許文献２参照）
【特許文献１】特開平８−１７３９３９号公報
【特許文献２】特開２００３−２６０４４３号公報
【発明の開示】
【発明が解決しようとする課題】
【０００３】
しかしながら、従来の生ごみ処理機の制御装置では、分解異常の時に警告を表示する際、センサの１回の検出による判断だけでは精度が悪く、正常であっても誤警告表示されたり、あるいは異常であっても警告表示がされないことがあった。そしてそのまま誤った報知が続くと、特に処理槽の水分量が多くなった場合そのまま生ごみを投入し続けるとさらに水分量が増し、好気性バクテリアにかわり嫌気性のバクテリアが増え、正分解処理が破綻する恐れがあった。また一方、生ごみ処理機を設置した時に投入する培養基材が比較的高湿度成分であるため、正確に異常を検出できず、利用者は誤った処置をしてしまう。更に、表示自体がわかりにくいため正確な警告表示を行っても利用者が気づかず、処置が遅れてしまうという課題を有していた。
【０００４】
本発明は、前記従来の課題を解決するもので、利用者に処理機の異常を正確に警告することにより、利用者は正しい処置を行うことができる生ごみ処理機の制御装置を提供することを目的とする。
【課題を解決するための手段】
【０００５】
前記従来の課題を解決するために、本発明の生ごみ処理機の制御装置は、処理槽の状態を検出するために湿度センサを用い、警告を表示する異常表示手段と、警告を表示するタイミングを調整するカウンタと、カウンタが複数の規定回数に達したとき前記異常表示手段にて処理機の異常を警告する制御手段とを設けた構成としてある。
【０００６】
これによって、定期的に測定する湿度センサの値が分解異常を起こしそうな状態がカウンタに設けた規定回数続いたとき、警告として異常表示を行うものである。
【発明の効果】
【０００７】
本発明の生ごみ処理機の制御装置は、利用者に異常表示する際に正確な警告を行うことにより、利用者は正しい処置を行うことができる。
【発明を実施するための最良の形態】
【０００８】
第１の発明は、生ごみおよび培養基材を含む処理槽内の湿度を測る湿度センサと、湿度を判断するしきい値を記憶するしきい値記憶手段と、前記湿度センサにより検出した湿度と前記しきい値記憶手段に記憶されているしきい値とを比較する湿度比較手段と、湿度がしきい値に達した複数の規定回数をカウントするカウンタと、処理機の異常を警告する異常表示手段と、前記湿度比較手段からの出力により前記カウンタが複数の規定回数に達したとき前記異常表示手段にて処理機の異常を警告する制御手段とを備えた構成としてあり、湿度センサにより検出した湿度を湿度比較手段がしきい値記憶手段のしきい値に達したかどうかを判断し、しきい値に達した回数がカウンタの複数の規定回数に達したときに異常表示手段が処理機の異常を警告することとなり、処理機の異常表示を１回の判断だけで行うのではなく、カウンタにある規定の複数回の判断で異常表示を行うため、より正確に利用者に処理機の異常を警告することができる。
【０００９】
第２の発明は、特に、第１の発明において、カウンタの複数の規定回数を任意に変更可能な構成としたしてあり、湿度を判断するカウンタの規定回数を変更することで、湿度センサの測定精度に応じて異常表示のタイミングを変えることができ、利用者に処理機の異常を正確に警告することができる。
【００１０】
第３の発明は、特に、第１または第２の発明において、生ごみ処理機を稼動状態にしてから一定期間の間、前記しきい値記憶手段のしきい値を前記一定期間経過後のしきい値と異なる値に変更可能な構成としてあり、生ごみ処理機を設置した時に投入する比較的高湿度な初期の培養基材に対して、これに対応する値とした湿度比較手段のしきい値と比較して判断し、利用者に処理機の異常を正確に警告することができる。
【００１１】
第４の発明は、特に、第１〜第３のいずれか１つの発明において、生ごみおよび培養基材を含む処理槽が水分過多になり、それ以上生ごみを投入できないような湿度の値を前記しきい値記憶手段のしきい値に設定し、前記異常表示手段にて投入中止を表示する構成としてあり、利用者はこの投入中止の警告により生ごみの投入を止め、処理機の水分がそれ以上増えて分解処理機能の破綻することを防ぐことができる。
【００１２】
第５の発明は、特に、第１〜第４のいずれか１つの発明において、生ごみの投入中止日数を表示する構成としてあり、利用者はいつから処理機を使用できるかを正確に知ることができる。
【００１３】
第６の発明は、特に、第１〜第５のいずれか１つの発明において、警告の表示を他の表示より輝度を明るくする構成としてあり、他の表示より警告の表示が目立つようになり、利用者は処理機の異常に容易に気づくことができる。
【００１４】
以下、本発明の実施の形態について、図面を参照しながら説明する。なお、この実施の形態によって本発明が限定されるものではない。
【００１５】
（実施の形態１）
図１は本発明の実施の形態１における生ごみ処理機を示し、生ごみ処理機本体１の内部には生ごみおよび培養基材を内装する処理槽２を設け、上方に設けた蓋３を開放して生ごみの投入ができるようになっている。撹拌手段４はモータ等の電動機による駆動手段５で回転駆動され、処理槽２内の生ごみおよび培養基材を撹拌する。加熱手段６は処理槽２の外壁に貼り付けられており、必要に応じて加熱し、処理槽２を所定の温度に保持する。また、吸気口７から外気（酸素）を処理槽２に取り込み好気性バクテリアの活性化を図ると共に、排気口８から排気送風装置９により、生ごみの分解処理の際に発生するガスを排出する。
【００１６】
図２は上記生ごみ処理機の制御装置を示し、１０は前記処理槽２の適所に設けた湿度センサ、１２は前記湿度センサ１０からの出力とあらかじめ湿度のしきい値が記憶されているしきい値記憶手段１３の値とを比較する湿度比較手段、１５は前記湿度比較手段１２がしきい値記憶手段１３の値を超える回数をカウントするカウンタ、１４はこのカウンタ１４からのカウント出力があらかじめ設定した規定回数を越えると異常表示手段16を作動させる制御手段で、詳述はしないものの前記撹拌手段４や加熱手段６、排気送風装置９等を制御するものである。
【００１７】
次に図３のブロック図を用いてその動作を説明する。図示しない電源コードを商用電源に接続、或いは図示しない運転スイッチをオンして運転状態にすると、制御手段はあらかじめ定めたシーケンスにもとずいて撹拌手段４や加熱手段６、排気送風装置９等を制御する。
【００１８】
このような運転状態下で前記湿度センサ１０は生ごみ及び培養基材を含む処理槽内の湿度を検出し（ステップ１）、湿度比較手段１２は、検出した湿度としきい値記憶手段１３に記憶されているしきい値とを比較する（ステップ２）。湿度を検出するタイミングは、例えば一定時間毎に定期的に行う。制御手段１４は、湿度比較手段１２にてしきい値に達した回数をカウンタ１５によりカウントし（ステップ３）、カウンタ１５の複数の規定回数に達したとき異常表示手段１６は処理機の異常を表示し警告する（ステップ５）。なお、検出した湿度が連続してしきい値に達した回数をカウンタ１５の規定回数に設定してもよい。
【００１９】
これより、処理機の異常表示を１回の検出による判断で行うのではなく、カウンタ１５にある規定の複数回の判断で異常表示を行うため、より正確に利用者に処理機の異常を警告することができ、利用者は正しい処置を行うことができる。
【００２０】
（実施の形態２） 
図４は、実施の形態２を示すブロック図であり、実施の形態１と異なるのはカウンタ１５の複数の規定回数を変更するカウンタ変更手段１７を設けた点で、その他は実施の形態１と同じものである。
【００２１】
この実施の形態２の構成によれば、しきい値に達したと判断するカウンタ１５の複数の規定回数を変更することで、湿度センサ１０の測定精度に応じて異常表示のタイミングを変えることができ、利用者に処理機の異常を正確に警告することができて、利用者は正しい処置を行うことができる。カウンタ１５の規定回数の変更は、例えば生ごみ処理機の不具合が発生しサービスマンが処置を行う際に変更することもできる。また、カウンタ１５の規定回数を意図的に多く設定することで、処理機の自己復帰する期間を意図的に設け、利用者の手間を省くとともに、利用者に与える不安を軽減することもできる。
【００２２】
（実施の形態３）
図５は、実施の形態２を示すブロック図であり、実施の形態１と異なるのは生ごみ処理機を稼動状態にしてから一定期間の間、しきい値記憶手段１３のしきい値を前記一定期間経過後のしきい値と異なる値とするしきい値変更手段１８を設けた点で、その他は実施の形態１と同じものである。
【００２３】
この実施の形態３の構成によれば、しきい値変更手段１８によってしきい値記憶手段１３のしきい値を、例えば稼動状態にした一定期間経過後のしきい値より高湿度な高い値に変更することができる。
【００２４】
これにより、生ごみ処理機を稼動状態にする時に投入する比較的高湿度な初期の培養基材に対して、湿度比較手段１２はそれに対応した高湿度のしきい値と比較して判断することになる。すなわち生ごみ処理機を稼動状態にした時に、処理槽内の好気性バクテリアが活性化し湿度が正常な処理状態になるまでの間、これを処理機の異常と判断することを防ぐことができる。よって、利用者に処理機の異常を正確に警告することができ、利用者は正しい処置を行うことができる。
【００２５】
なお、この稼動状態は培養基材を処理槽にセットした状態を示し、例えば電源コードを商用電源に接続、或いは機器の運転スイッチをオンにする、或いは培養基材をセットしたときに使用者が操作するスイッチ等の信号を基準にして一定期間経過を判断するようにすればよいものである。
【００２６】
（実施の形態４）
図６は〜図８は異常表示手段の一例を示し、図６は生ごみおよび培養基材を含む処理槽が水分過多になり、それ以上生ごみを投入できないような湿度の値に達したときに投入中止を表示するものである。
【００２７】
これにより、利用者はこの投入中止の警告により生ごみの投入を止め、処理機の水分がそれ以上増えて分解処理機能の破綻することを防ぐことができる。
【００２８】
図７は投入中止表示のかわりに生ごみを投入してはいけない日数、すなわち投入中止日数を表示するものである。例えば、処理槽内の湿度の度合いから適正な湿度に戻るまでの日数を試算し、投入中止表示手段にて日数を表示する。
【００２９】
これにより、利用者に処理機の異常を正確に警告することができ、利用者はいつから処理機を使用できるかを知ることができる。
【００３０】
図８は異常表示、すなわち警告の表示を他の表示より輝度が明るくなるようにしたものである。これにより、他の表示より警告の表示が目立つようになり、利用者は処理機の異常に容易に気づくことができる。これは音であれば更に効果的である。
【産業上の利用可能性】
【００３１】
以上のように、本発明にかかる生ごみ処理機の制御装置は、利用者に異常表示する際に正確な警告を行うことにより、利用者は正しい処置を行うことができるので、家庭、レストラン、各施設の食堂から排出される生ごみを処理する生ごみ処理機の利便性の向上、及び不具合時のサービス性の向上に有用なものである。
【図面の簡単な説明】
【００３２】
【図１】本発明の実施の形態１における生ごみ処理機の断面図
【図２】同生ごみ処理機の制御装置を示すブロック図
【図３】同同動作を示すフローチャート
【図４】同実施の形態２における生ごみ処理機の制御装置を示すブロック図
【図５】同実施の形態３における生ごみ処理機の制御装置を示すブロック図
【図６】同実施の形態４として示した異常表示手段の表示例を示す説明図
【図７】同実施の形態４の他の異常表示手段の表示例を示す説明図
【図８】同実施の形態４の他の異常表示手段の表示例を示す説明図
【符号の説明】
【００３３】
１  生ごみ処理機本体
２  処理槽
３  蓋
４  撹拌手段
５  駆動手段
６  加熱手段
７  吸気口
８  排気口
９  排気送風装置
１０  湿度センサ
１１  蓋スイッチ
１２  湿度比較手段
１３  しきい値記憶手段
１４  制御手段
１５  カウンタ
１６  異常表示手段
１７  カウンタ変更手段
１８  しきい値変更手段
【図１】
2005305287.tif 000003
【図２】
2005305287.tif 000004
【図３】
2005305287.tif 000005
【図４】
2005305287.tif 000006
【図５】
2005305287.tif 000007
【図６】
2005305287.tif 000008
【図７】
2005305287.tif 000009
【図８】
2005305287.tif 000010